(57)【要約】  情報記録媒体、この情報記録媒体のデータ記録／再生方法及び装置が開示されている。この開示された情報記録媒体は、ユーザデータ領域を持つ複数の記録層を備え、ピックアップにより記録可能になっている情報記録媒体において、前記複数の記録層のうち前記ピックアップから近い記録層からデータが記録され、データが記録される記録層のユーザデータ領域の記録可能領域が、前記ピックアップと前記データが記録される記録層間にある記録層のユーザデータ領域の記録可能領域より小さいことを特徴とする。複数の記録層ごとに記録／再生特性が同一に維持されるようにユーザデータ領域と最適の記録パワーをテストするための領域の記録領域を構成する。
2007535091.tif 000002
【特許請求の範囲】
【請求項１】
複数の記録層を持つ情報記録媒体であり、各層は、
ピックアップによりデータが記録され、前記データが前記ピックアップから近い記録層から記録されるユーザデータ領域を備え、
データが記録される第１記録層のユーザデータ領域の記録可能領域が、前記ピックアップと第１記録層間の第２記録層のユーザデータ領域につながる記録可能領域より小さいことを特徴とする情報記録媒体。
【請求項２】
前記第１記録層は、ユーザデータ領域のデータ領域の内周及び外周に非記録領域を備え、それぞれの非記録領域は、第１記録層に情報を記録するために第２記録層を通過するトラック数の１／２に対応する領域であることを特徴とする請求項１に記載の情報記録媒体。
【請求項３】
前記第１記録層は、ユーザデータ領域の内周及び外周で非記録領域を備え、それぞれの非記録領域は次の式によって決定されるトラック数を含むことを特徴とする請求項１に記載の情報記録媒体：
【数１】
2007535091.tif 000009
ここで、ＳＬは、隣接する記録層間のスペース層の厚さを、ＴＰは、トラックピッチを、ＮＡは、対物レンズの開口数を、ｎは、情報記録媒体の屈折率を表す。
【請求項４】
前記複数の記録層の記録可能領域は、ピックアップから近い記録層から遠くなるほど次第に減少することを特徴とする請求項１に記載の情報記録媒体。
【請求項５】
複数の記録層を備え、各記録層は、最適の記録パワーをテストするためのＯＰＣ領域を持ち、ピックアップによりデータが記録される第１記録層のＯＰＣ領域は、前記ピックアップと第１記録層間の第２記録層のＯＰＣ領域に対して増加することを特徴とする情報記録媒体。
【請求項６】
第１記録層のＯＰＣ領域は、記録ビームが第１記録層にデータを記録するために第２記録層を過ぎるトラック数の１／２に対応する量ほど第２記録層のＯＰＣ領域に対して増加することを特徴とする請求項５に記載の情報記録媒体。
【請求項７】
第１記録層のＯＰＣ領域は、次の式により決定されるトラック数ほど第２記録層のＯＰＣに対して増加することを特徴とする請求項５に記載の情報記録媒体：
【数２】
2007535091.tif 000010
ここで、ＳＬは、隣接する記録層間のスペース層の厚さを、ＴＰは、トラックピッチを、ＮＡは、対物レンズの開口数を、ｎは、情報記録媒体の屈折率を表す。
【請求項８】
前記複数の記録層のユーザデータ領域は、ピックアップから遠くなるにつれて減少することを特徴とする請求項５に記載の情報記録媒体。
【請求項９】
複数の記録層を持つ記録可能な情報記録媒体に及び／または情報記録媒体からピックアップを利用してデータを記録／再生する方法において、
前記複数の記録層のうち前記ピックアップに最も近い記録層に第１分量のデータを記録するステップと、
前記複数の記録層のうち他の層に第１分量より少量のデータを記録し、前記複数の記録層のうち他の層のそれぞれのデータの記録分量が、ピックアップから近い記録層から遠くなるほど漸進的に減少するステップとを含むことを特徴とするデータの記録／再生方法。
【請求項１０】
前記複数の記録層のうち他の層のユーザデータ領域の内周及び外周に非記録領域を提供し、前記それぞれの非記録領域は、記録ビームがピックアップにさらに近い記録層を過ぎるトラック数の１／２に対応する領域であることを特徴とする請求項９に記載のデータの記録／再生方法。
【請求項１１】
前記複数の記録層のうち他の層のユーザデータ領域の内周及び外周に非記録領域を提供し、前記記録層のうち他の層の第１記録層の非記録領域それぞれは、次の式によって決定されたトラック数を含むことを特徴とする請求項９に記載のデータの記録／再生方法：
【数３】
2007535091.tif 000011
ここで、ＳＬは、複数の記録層間のスペース層の厚さを、ＴＰは、トラックピッチを、ＮＡは、対物レンズの開口数を、ｎは、情報記録媒体の屈折率を表す。
【請求項１２】
隣接する記録層間のユーザデータ領域の大きさ差が、隣接する層の対応する非記録領域の大きさでのそれぞれの差に対応することを特徴とする請求項１０に記載のデータの記録／再生方法。
【請求項１３】
最適の記録パワーをテストするためのＯＰＣ領域を持つ複数の記録層を備え、ピックアップによりデータを記録／再生する方法において、
前記複数の記録層のうち、前記ピックアップから近い第１記録層にデータを記録するステップと、
前記複数の記録層のテストのための記録領域は、ピックアップから最も近い記録層から遠くなるほどＯＰＣ領域の大きさが増加するように他の記録層にデータを記録するステップとを含むことを特徴とするデータの記録／再生方法。
【請求項１４】
第２記録層は、ユーザデータ領域の内周及び外周に非記録領域を備え、それぞれの非記録領域は、前記第２記録層に記録するためにテストビームが第１記録層を過ぎるトラック数の約１／２に対応することを特徴とする請求項１３に記載のデータの記録／再生方法。
【請求項１５】
第２記録層は、ユーザデータ領域の内周及び外周に非記録領域を備え、それぞれの非記録領域は、次の式によって決定されたトラック数に対応することを特徴とする請求項１３に記載のデータの記録／再生方法。
【数４】
2007535091.tif 000012
ここで、ＳＬは、隣接する記録層間のスペース層の厚さを、ＴＰは、トラックピッチを、ＮＡは、対物レンズの開口数を、ｎは、情報記録媒体の屈折率を表す。
【請求項１６】
複数の記録層を備える記録可能な情報記録媒体に／からデータを記録／再生する装置において、
前記情報記録媒体にビームを照射するピックアップと、
前記情報記録媒体で反射されたビームを前記ピックアップを通じて受けて信号処理する記録／再生信号処理部と、
前記複数の記録層のうち前記ピックアップから近い記録層からデータを記録し、初めてデータが記録される記録層を除いて、前記データが記録される記録層のユーザデータ領域の内周及び外周で所定容量の領域にデータが記録されないようにピックアップを制御する制御部とを備えることを特徴とする記録／再生装置。
【請求項１７】
最適の記録パワーをテストするためのＯＰＣ領域を持つ複数の記録層を備え、ピックアップにより記録可能になっている情報記録媒体に／からデータを記録／再生する装置において、
前記情報記録媒体にビームを照射するピックアップと、
前記情報記録媒体で反射されたビームを、前記ピックアップを通じて受けて信号処理する記録／再生信号処理部と、
前記複数の記録層のうち前記ピックアップから近い記録層からテストのためにデータを記録し、初めてデータが記録される記録層を除いて、データが記録される記録層のＯＰＣ領域の内周及び外周で所定容量の領域にデータを記録しないようにピックアップを制御する制御部と、を備えることを特徴とする記録／再生装置。
【請求項１８】
ユーザデータ領域を持つ複数の記録層を備え、ピックアップにより記録可能になっている情報記録媒体において、
前記複数の記録層のユーザデータ領域の記録容量は、記録ビームが照射される側から近い記録層から遠くなるほど次第に減少することを特徴とする情報記録媒体。
【請求項１９】
前記ユーザデータ領域の内周側にはリードイン領域が備わり、外周側にはリードアウト領域が備わることを特徴とする請求項１８に記載の情報記録媒体。
【請求項２０】
前記リードイン領域及びリードアウト領域と別途に最適の記録パワーをテストするためのＯＰＣ領域が備わることを特徴とする請求項１９に記載の情報記録媒体。
【請求項２１】
隣接する外側層と内側層間にユーザデータ領域に記録されるデータの容量差は、記録ビームが内側層にデータを記録するために過ぎる隣接する外側層のトラック数に基づいて決定されることを特徴とする請求項２０に記載の情報記録媒体。
【請求項２２】
前記記録ビームが過ぎるトラック数は次のような式によって決定されることを特徴とする請求項２１に記載の情報記録媒体：
【数５】
2007535091.tif 000013
ここで、ＳＬは、内側層と外側層間のスペース層の厚さを、ＴＰは、トラックピッチを、ＮＡは、対物レンズの開口数を、ｎは、情報記録媒体の屈折率を表す。
【請求項２３】
前記内側層のユーザデータ領域に記録される容量は、外側層のユーザデータ領域に記録されるデータ容量であり、前記内側層にデータを記録するために記録ビームが過ぎる隣接する外側層のトラック数の約１／２に減少することを特徴とする請求項２１に記載の情報記録媒体。
【請求項２４】
複数の記録層を持つ記録可能な情報記録媒体にピックアップを利用してデータを記録／再生する方法において、
前記複数の記録層のうち前記ピックアップから近い記録層からデータを記録するステップと、
前記内側層の記録領域の大きさがピックアップから近い記録層から遠くなるほど次第に減少するように内側層にデータを記録するステップとを含むことを特徴とする記録／再生方法。
【請求項２５】
複数の記録層を備える記録可能な情報記録媒体に／からデータを記録／再生する装置において、
前記情報記録媒体にビームを照射するピックアップと、
前記情報記録媒体で反射されたビームを前記ピックアップを通じて受けて信号処理する記録／再生信号処理部と、
前記複数の記録層のうち前記ピックアップから近い記録層からデータを記録し、記録領域の大きさがピックアップから各記録層の距離によって減少するようにピックアップを制御する制御部とを備えることを特徴とする記録／再生装置。
【請求項２６】
複数の記録層を持つ記録可能な光ディスクであり、各層は、
ユーザ記録可能領域と、
最適記録パワーを決定するためにテストを行うための最適パワー制御（ＯＰＣ）領域とを備え、
前記複数の記録層のうち内側に配置された層のＯＰＣ領域が記録層の外側に配置された層のＯＰＣ領域より大きいことを特徴とする光ディスク。
【請求項２７】
前記内側に配置された層のＯＰＣ領域と前記外側に配置された層のＯＰＣ領域との差は、内側に配置された層と外側に配置された層間の空間に正比例し、記録可能な光ディスクのトラックピッチに反比例することを特徴とする請求項２６に記載の光ディスク。
【請求項２８】
光ビームを記録可能な光ディスクに照射する対物レンズを持つ光ピックアップを利用して複数の記録層を持つ記録可能な光ディスクにデータを記録する方法において、
前記方法は、
各記録層のために最適パワー制御（ＯＰＣ）を割り当て、前記ＯＰＣ領域は、各層に対して最適記録パワーを決定するためのテストを行うステップを含み、
前記複数の記録層のうち内側に配置された層のＯＰＣ領域が複数の記録層の外側に配置された層のＯＰＣ領域よりさらに大きい領域に割り当てられることを特徴とする方法。
【請求項２９】
内側に配置された層のＯＰＣ領域と外側に配置された層のＯＰＣ領域との差が対物レンズの開口数の増加につれて増加し、記録可能な光ディスクのトラックピッチの増加につれて減少し、記録可能な光ディスクの屈折率の増加につれて減少し、内側に配置された層と外側に配置された層間の空間の増加につれて増加するように前記ＯＰＣ領域を割り当てることを特徴とする請求項２８に記載の方法。
【請求項３０】
複数の記録層を持つ記録可能な光ディスクにデータを記録するための装置において、
前記光ピックアップに光ビームを照射する対物レンズを備える光ピックアップと、
各層に最適記録パワーを決定するためにテストを行うための最適パワー制御（ＯＰＣ）領域を割り当てる制御部とを備え、
前記制御部は、前記複数の記録層のうち内側に配置された層のＯＰＣ領域を、複数の記録層の外側に配置された層のＯＰＣ領域より大きく割り当てることを特徴とする装置。
【請求項３１】
前記制御部は、内側に配置された層のＯＰＣ領域と外側に配置された層のＯＰＣ領域との差が対物レンズの開口数の増加によって減少し、記録可能な光ディスクのトラックピッチの増加につれて減少し、記録可能な光ディスクの屈折率の増加につれて減少し、内側に配置された層と外側に配置された層間の空間の増加につれて増加するように前記ＯＰＣ領域を割り当てることを特徴とする請求項３０に記載の装置。
【発明の詳細な説明】
【技術分野】
【０００１】
本発明は、情報記録媒体、情報記録媒体に／からデータを記録／再生する方法及び装置に係り、より詳細には、本発明は複数の記録層ごとに記録／再生特性が同一に維持されるようにユーザデータ領域と最適の記録パワーをテストするための領域の記録可能領域が設定された情報記録媒体、記録／再生する方法及び装置に関する。
【背景技術】
【０００２】
一般的に情報記録媒体は、非接触式で情報を記録／再生するピックアップの情報記録媒体として広く採用され、情報記録媒体の一種である光ディスクは、情報記録容量によってコンパクトディスク（ＣＤ；コンパクトディスク）、デジタル多機能ディスク（ＤＶＤ；デジタルバーサタイルディスク）に区分される。そして、記録、消去及び再生が可能な光ディスクとしては、６５０ＭＢのＣＤ−Ｒ、ＣＤ−ＲＷ、４．７ＧＢのＤＶＤ＋ＲＷなどがある。さらに、記録容量が１５ＧＢ以上のＨＤ−ＤＶＤまたはブルーレイディスクも開発されており、分解能限界を超えてデータを再生できる超解像ディスクも開発されている。
【０００３】
しかし、現在発売されている記録可能なＤＶＤは、容量が４．７ＧＢの単層ディスクしかない。ところが、ＤＶＤ−ＲＯＭの場合には、８．５ＧＢの２層ディスクが発売されている。このような８．５ＧＢのＤＶＤ−ＲＯＭに記録されたデータをバックアップするためには、同じ容量の記録可能なＤＶＤが必要である。したがって、少なくとも第１及び第２記録層を持つ記録可能なディスクが現実的に必要である。
【０００４】
第１及び第２記録層を持つ記録可能なディスクにデータを記録する時、第１記録層と第２記録層との記録／再生特性が同じであることが望ましい。これは、記録順序によって第１及び第２記録層の記録／再生特性に差が発生すれば、ドライブで記録／再生が円滑に行われないため、記録／再生性能を向上させるために要請されることである。
【０００５】
記録／再生性能を向上させるために複数層の記録層についての記録／再生特性を同一に保証できる方法が要求される。
【発明の開示】
【発明が解決しようとする課題】
【０００６】
本発明は、前記した問題点を解決するためになされたものであり、複数の記録層を持つ記録可能な情報記録媒体で、各記録層に対して記録／再生特性が同一になるようにデータを記録及び／または再生する方法、装置及びこのような方法によりデータが記録された情報記録媒体を提供するところにその目的がある。
【課題を解決するための手段】
【０００７】
本発明は前記した目的を達成するために、ユーザデータ領域を持つ複数の記録層を備え、ピックアップにより記録可能になっている情報記録媒体において、前記複数の記録層のうち前記ピックアップから近い記録層からデータが記録され、データが記録される記録層のユーザデータ領域の記録領域が、前記ピックアップと前記データが記録される記録層間にある記録層のユーザデータ領域の記録領域より小さいことを特徴とする。
【０００８】
本発明は前記した目的を達成するために、最適の記録パワーをテストするためのＯＰＣ領域を持つ複数の記録層を備え、ピックアップにより記録可能になっている情報記録媒体において、前記複数の記録層のうち前記ピックアップから近い記録層からデータが記録され、データが記録される記録層のＯＰＣ領域の記録領域が、前記ピックアップと前記データが記録される記録層間にある記録層のＯＰＣ領域の記録領域より小さいことを特徴とする。
【０００９】
前記記録層は非記録領域を備え、前記非記録領域は、データ領域の内周及び外周から外部層を通過する記録ビームに含まれるトラック数の１／２に対応する領域であることを特徴とする。
【００１０】
前記非記録領域に対応するトラック数は、次のような条件式を満足することを特徴とする。
【００１１】
【数６】
2007535091.tif 000003
ここで、ＳＬは、隣接する記録層間のスペース層の厚さを、ＴＰは、トラックピッチを、ＮＡは、対物レンズの開口数を、ｎは、情報記録媒体の屈折率を表す。
【００１２】
前記複数の記録層の記録可能領域は、ピックアップから近い記録層から遠くなるほど次第に減少することが望ましい。
【００１３】
前記目的を達成するために本発明による方法は、複数の記録層を持つ記録可能な情報記録媒体にピックアップを利用してデータを記録／再生する方法において、前記複数の記録層のうち前記ピックアップから近い記録層からデータを記録するステップと、初めてデータが記録される記録層を除いて、前記データが記録される記録層のユーザデータ領域の内周及び外周で所定容量の領域にデータを記録しないステップとを含むことを特徴とする。
【００１４】
前記した目的を達成するために本発明による方法は、最適の記録パワーをテストするためのＯＰＣ領域を持つ複数の記録層を備え、ピックアップにより記録可能になっている情報記録媒体において、前記複数の記録層のうち前記ピックアップから近い記録層からテストのためにデータを記録するステップと、初めてデータが記録される記録層を除いて、データが記録される記録層のＯＰＣ領域の内周及び外周で所定容量の領域にデータを記録しないステップとを含むことを特徴とする。
【００１５】
前記目的を達成するために本発明による装置は、複数の記録層を備える記録可能な情報記録媒体に／からデータを記録／再生する装置において、前記情報記録媒体にビームを照射するピックアップと、前記情報記録媒体で反射されたビームを前記ピックアップを通じて受けて信号処理する記録／再生信号処理部と、前記複数の記録層のうち前記ピックアップから近い記録層からデータを記録し、初めてデータが記録される記録層を除いて、前記データが記録される記録層のユーザデータ領域の内周及び外周で所定容量の領域にデータが記録されないようにピックアップを制御する制御部と、を備えることを特徴とする。
【００１６】
前記目的を達成するために本発明による装置は、最適の記録パワーをテストするためのＯＰＣ領域を持つ複数の記録層を備え、ピックアップにより記録可能になっている情報記録媒体に／からデータを記録／再生する装置において、前記情報記録媒体にビームを照射するピックアップと、前記情報記録媒体で反射されたビームを前記ピックアップを通じて受けて信号処理する記録／再生信号処理部と、前記複数の記録層のうち前記ピックアップから近い記録層からテストのためにデータを記録し、初めてデータが記録される記録層を除いて、データが記録される記録層のＯＰＣ領域の内周及び外周で所定容量の領域にデータを記録しないようにピックアップを制御する制御部と、を備えることを特徴とする。
【００１７】
本発明の追加的な具現例及び／または利点は、後続する説明に部分的に記述され、部分的にはその説明から明らかになり、または本発明の実施により理解される。
【発明の効果】
【００１８】
本発明による情報記録媒体及び情報記録媒体に／からデータを記録／再生する方法は、複数の記録層を持つ記録可能な情報記録媒体にユーザデータを記録する時、ユーザデータ領域の内周及び外周にデータを記録しないことによって、データ領域のどこでも同じ記録／再生特性を付与する。
【００１９】
また、最適の記録パワーをテストする場合にも、このような方法を同一に適用することによって正確な最適の記録パワーを得ることができる。また、ピックアップから近い記録層からデータを記録／再生可能にして、ＤＶＤ−ＲＯＭとの一貫性を維持可能にする記録可能な情報記録媒体を提供する。
【００２０】
また、本発明による情報記録媒体に／からデータを記録／再生する装置を利用して記録可能な情報記録媒体の記録／再生性能を向上させ、最適の記録パワーに対するテストを行える。
【発明を実施するための最良の形態】
【００２１】
本発明の実施形態について、添付された図面に図示された例について詳細な参照がなされており、類似した参照番号は類似した要素を示す。実施形態は、図面を参照して本発明を説明するために後述される。
【００２２】
本発明による情報記録媒体に／からデータを記録／再生する方法は、複数の記録層を持つ情報記録媒体で、記録層にデータを記録するためにビームを照射する時、記録ビームが通過する他の記録層の部分にデータをあらかじめ記録させる。
【００２３】
また、記録可能な情報記録媒体は、データを記録する前に最適の記録パワーを探すためのＯＰＣ（ＯＰＣ；Ｏｐｔｉｍｕｍ  Ｐｏｗｅｒ  Ｃｏｎｔｒｏｌ）を行う。ＯＰＣを行うためにＯＰＣ領域に所定の記録パワーでデータを記録し、その再生特性をテストする。テスト結果、最適の記録パワーをさがせば、その記録パワーでデータを記録する。このようにＯＰＣを行う場合に、ＯＰＣのためのビームが過ぎる領域にデータをあらかじめ記録する。
【００２４】
複数の記録層を持つ記録可能な情報記録媒体でユーザデータを記録するか、ＯＰＣを行う場合、各記録層でのデータ記録による記録／再生特性が変わりうる。例えば、各記録層の記録順序や記録パワーによって記録／再生特性が変わるならば、最適の記録パワー制御が不正確に行われうる。したがって、記録／再生特性が記録層の状態によって変わりうる条件を探し、このような条件を考慮して最適の記録パワーを制御する必要がある。
【００２５】
データの記録／再生特性に影響を及ぼす条件を調べるために、図１に図示されたように、第１記録層Ｌ１と第２記録層Ｌ２とを持つ情報記録媒体にデータを記録する順序と記録パワーを変えつつ実験した。
【００２６】
実験に使われた情報記録媒体及び記録ストラテジーの条件は、次の通りである。
【００２７】
情報記録媒体の線速度は３．８ｍ／ｓ、レーザー波長は６５０ｎｍ、対物レンズの開口数は０．６０である。そして、記録ストラテジーはマルチパルスであり、第１記録層Ｌ１には、記録パワーが１５．１ｍＷ、Ｔｔｏｐが１．４５Ｔ、Ｔｍｐが０．６５Ｔ、Ｔｄｔｐ
３Ｔが−０．０３Ｔである記録ストラテジーを、第２記録層Ｌ２には、記録パワーが２０ｍＷ、Ｔｔｏｐが１．６５Ｔ、Ｔｍｐが０．７０Ｔ、Ｔｄｔｐ ３Ｔは−０．０３Ｔである記録ストラテジーを使用した。Ｔｔｏｐは、マルチパルス列のうち先頭パルスの持続時間であり、Ｔｍｐは、マルチパルス列内の各パルスの持続時間であり、Ｔｄｔｐは、基準時間からシフトされた時間をそれぞれ表す。Ｔｄｔｐが（−）値を持つということは、左側にシフトされたことを表す。
【００２８】
ここで、基本記録条件は、測定しようとする記録層にのみデータを記録してジッターが最小である記録パワーと記録ストラテジーでセットされた。また、１Ｔは３８．５ｎｓを表す。
【００２９】
前記のような条件で、第１記録層Ｌ１及び第２記録層Ｌ２にデータを記録してジッター値、Ｉ３／Ｉ１４（変調度）、非対称性（ａｓｙｍｍｅｔｒｙ）、反射度を測定した結果は、表１の通りである。ここで、ピックアップは、図１に図示されたように第１記録層Ｌ１から近く配置されており、図面符号１０は、対物レンズを表す。
【００３０】
【表１】
2007535091.tif 000004
表１の結果によれば、第１記録層Ｌ１は、記録状態や記録順序に関係なくジッター、Ｉ３／Ｉ１４、非対称性、反射度のような特性があまり変わらなかったのに対し、第２記録層Ｌ２は、記録順序によって特性が変わった。すなわち、第１記録層に記録した後に第２記録層に記録した場合に、反射率だけでなく非対称性、ジッターの変化が大きく現れた。一方、第１記録層に記録した後に第２記録層に記録した場合に比べてその変化が少なかったが、第２記録層に記録した後に第１記録層に記録した場合も特性の変化があった。
【００３１】
したがって、記録／再生の特性の変化を少なくするために、第１記録層を記録した後に第２記録層を記録することが望ましい。さらに、第２記録層にデータを記録する時、記録ビームが過ぎる領域にあらかじめデータが記録されていることが望ましい。
【００３２】
次いで、記録パワーを一般的なパワーより大きくして記録した場合に記録／再生特性を測定したことである。最適の記録パワーを制御するための作業時、最適の記録パワーを求めるためにいろいろなパワーを使用してテストする。特に、一定期間情報記録媒体を使用した後には記録媒体表面の汚染などによって適正パワーより高い記録パワーが必要な場合もあるために、相対的に高いパワーでテストをする必要がある。このような状況を考慮して適正パワー（ｎｏｒｍａｌ  ｐｏｗｅｒ）の１２０％、１５０％の記録パワーを使用して記録した後、記録／再生特性を測定した結果を表２に表した。
【００３３】
【表２】
2007535091.tif 000005
表２によれば、記録パワーが相対的に高くなった場合に、第１記録層は記録／再生特性があまり変わらなかったのに対し、第２記録層は、第１記録層への記録後、第２記録層に記録すれば反射率だけでなく非対称性及びジッターが大きく変わった。適正パワーで記録した場合と比較すれば、ジッターが悪くなる傾向があるが、非対称性及び反射率はあまり差がなかった。
【００３４】
表１及び表２の結果によれば、第１記録層Ｌ１は、記録順序や記録パワーにあまり影響されないのに対し、第２記録層Ｌ２は、影響を多く受け、特に、第１記録層への記録後、第２記録層に記録する場合に記録／再生特性にさらに多くの変化があることが分かる。このような変化は、記録ビームが過ぎる部分にデータが記録された場合と記録されていない場合に透過率が異なり、このような透過率差によって記録パワーが小さくなる効果によるものである。
【００３５】
一方、最適の記録パワーを探すためには、記録／再生特性の変化を最も多く招く条件でテストする必要がある。すなわち、いかなる条件下でも記録／再生特性の変化がほとんどないならば、最適の記録パワーをテストするための特別の条件がなくても正確な最適の記録パワーを探すことができるが、記録条件によって記録／再生特性が変わるならば、特性変化が最も多く発生する条件でテストを行って初めて最適の記録パワーを探すことができる。
【００３６】
したがって、本発明では最適の記録パワーを探すためにテストビームが照射される時、少なくとも前記テストビームが過ぎる記録層の部分にデータが記録されていることが望ましい。
【００３７】
図１を参照するに、本発明による情報記録媒体は、第１記録層Ｌ１と第２記録層Ｌ２と、第１記録層と第２記録層との間にスペース層１５を備え、各記録層Ｌ１、Ｌ２は、リードイン領域Ｌ１−１０、Ｌ２−１０、ユーザデータ領域Ｌ１−２０、Ｌ２−２０、リードアウト領域Ｌ１−３０、Ｌ２−３０を備える。前記第２記録層Ｌ２にデータを記録するか、ＯＰＣを行う時、記録ビームまたはテストビームが過ぎる第１記録層部分にデータをあらかじめ記録する。
【００３８】
図２を参照するに、第１記録層Ｌ１と第２記録層Ｌ２とを備える情報記録媒体Ｄで、第１記録層Ｌ１に隣接してデータを記録するためのピックアップ５０が備わり、第２記録層Ｌ２にデータを記録するために記録ビームを照射するか、ＯＰＣを行うためにテストビームを照射する前に前記記録ビームまたはテストビームが過ぎる第１記録層Ｌ１の部分にデータがまず記録される。また、前記記録ビームまたはテストビームが過ぎる部分に含まれたトラック数に対応するほどデータが記録されることが望ましい。
【００３９】
図１を参照するに、第２記録層Ｌ２への記録時、テストビームにより照射された第１記録層Ｌ１でのトラック数は次のように求められうる。
【００４０】
【数７】
2007535091.tif 000006
ここで、Ｘは、第１記録層でのテストビーム直径の１／２であり、θは、図１に図示されたように光ビームの角度の１／２であり、ＳＬは、第１記録層Ｌ１と第２記録層Ｌ２間のスペース層１５の厚さを、ＴＰは、トラックピッチを表す。また、記録媒体の屈折率がｎである時、対物レンズ１０の開口数ＮＡはＮＡ＝ｎｓｉｎθである関係式を利用して、前記式（１）は式（２）のように使われうる。
【００４１】
【数８】
2007535091.tif 000007
ＮＡは、対物レンズ１０の開口数を、ｎは、情報記録媒体の屈折率を表す。
【００４２】
第２記録層Ｌ２に記録ビームまたはＯＰＣのためのテストビームが照射される前に、前記式（２）によるトラック数に対応する領域には少なくともデータが記録されていることが望ましい。
【００４３】
具体的に、ＳＬｔａｎθ＝４１．２５（μm）であり、ＴＰ＝０．７４μmである時、テストビームに含まれるトラック数は約１１２トラックになる。
【００４４】
ところが、前記のように第２記録層Ｌ２にデータを記録する時、第１記録層Ｌ１による影響を受けるＸに対応するトラック数を考慮すれば、図３に図示されたようにデータ領域の最内周と最外周部分で前記Ｘに対応するトラック数ほどの領域にはデータを記録しない非記録領域を備えることが望ましい。
【００４５】
したがって、本発明では、第２記録層Ｌ１のユーザデータ領域Ｌ１−２０の記録領域が、第１記録層Ｌ２のユーザデータ領域Ｌ２−２０より小さく備わる。具体的に、第２記録層Ｌ１のユーザデータ領域Ｌ１−２０の内周からＸに対応する領域と、外周からＸに対応する領域にはデータを記録しない。Ｘに対応するトラック数は次の通りである。
【００４６】
【数９】
2007535091.tif 000008
第２記録層Ｌ２でのＸに対応するトラック数が、光ビームが第１記録層で過ぎるトラック数の１／２である。
【００４７】
図３は、第１記録層Ｌ１及び第２記録層Ｌ２を持つデュアル記録媒体を例として説明したが、３層以上の記録層を持つ記録媒体にも同一に適用できる。
【００４８】
図４には、第１ないし第４記録層Ｌ１、Ｌ２、Ｌ３、Ｌ４を備えた情報記録媒体が図示されている。各記録層Ｌ１、Ｌ２、Ｌ３、Ｌ４は、リードイン領域１０−Ｌ１、１０−Ｌ２、１０−Ｌ３、１０−Ｌ４、ユーザデータ領域２０−Ｌ１、２０−Ｌ２、２０−Ｌ３、２０−Ｌ４、リードアウト領域３０−Ｌ１、３０−Ｌ２、３０−Ｌ３、３０−Ｌ４を備える。
【００４９】
第２記録層Ｌ２の内周及び外周にそれぞれＸ１に対応する領域にデータを記録せず、第３記録層Ｌ３の内周及び外周にそれぞれＸ２に対応する領域にデータを記録せず、第４記録層Ｌ４の内周及び外周にそれぞれＸ３に対応する領域にデータを記録しない。
【００５０】
ここで、ビームが入射される表面から最も遠く離れた記録層のデータ領域の記録領域が最も少ないことが望ましい。言い換えれば、ビームが入射される表面から近い記録層から遠くなる記録層順にユーザデータ領域の記録領域が次第に減少する。そして、ビームが入射される表面から近い記録層から遠くなる記録層順に非記録領域が次第に増加する（Ｘ３＞Ｘ２＞Ｘ１）。
【００５１】
しかし、このように各記録層の記録領域の大きさを別に構成してもよいが、その他に記録ビームが入射される表面から最も遠く離れた記録層のデータ領域の記録領域を基準に、残りの記録層の記録領域を同じ大きさで構成してもよい。例えば、第４記録層Ｌ４のデータ領域の内周及び外周でＸ３に対応する領域にデータを記録しないとする時、第３記録層Ｌ３、第２記録層Ｌ２の内周及び外周でＸ３に対応する領域にデータを記録しない。
【００５２】
図５は、本発明の第２実施形態によるデュアルレイヤー情報記録媒体の概略的なレイアウトを図示したものである。第１記録層Ｌ１と第２記録層Ｌ２とを備える情報記録媒体で、ビームが入射される表面から遠く離れた記録層のデータ領域の記録領域は、ビームが入射される表面から近い記録層のデータ領域の記録領域より少ないことが望ましい。また、ビームが入射される表面から遠く離れた記録層のリードイン領域とリードアウト領域は、ビームが入射される表面から近い記録層のリードイン領域とリードアウト領域より大きいことが望ましい。すなわち、記録ビームまたはテストビームが第１記録層Ｌ１から入射される時、第１記録層Ｌ１のデータ領域２０−Ｌ１の容量が第２記録層Ｌ２のデータ領域２０−Ｌ２の容量より大きく、第１記録層Ｌ１のリードイン領域１０−Ｌ１とリードアウト領域３０−Ｌ１の容量が第２記録層Ｌ２のリードイン領域１０−Ｌ２とリードアウト領域３０−Ｌ２の容量より小さい。前記第２記録層Ｌ２のデータ領域２０−Ｌ２は、第１記録層Ｌ１のデータ領域Ｌ１−２０の内周からＸに対応する領域と外周からＸに対応する領域ほど少ない容量を持つように構成できる。
【００５３】
このような構造は、２層情報記録媒体にだけでなく３層以上の情報記録媒体にも同一に適用できる。図６は、第１ないし第４記録層Ｌ１、Ｌ２、Ｌ３、Ｌ４を備える４層情報記録媒体を図示したものである。この場合、記録ビームが第１記録層Ｌ１から入射される時、第１データ領域２０−Ｌ１、第２データ領域２０−Ｌ２、第３データ領域２０−Ｌ３、第４データ領域２０−Ｌ４順にデータ領域の容量が小さくなる。そして、第１リードイン領域１０−Ｌ１、第２リードイン領域１０−Ｌ２、第３リードイン領域１０−Ｌ３、第４リードイン領域１０−Ｌ４の順に、第１リードアウト領域３０−Ｌ１、第２リードアウト領域３０−Ｌ２、第３リードアウト領域３０−Ｌ３、第４リードアウト領域３０−Ｌ４の順に容量が大きくなる。
【００５４】
一方、各記録層は、図７Ａを参照するに、リードイン領域及びリードアウト領域のうち少なくとも一箇所にＯＰＣ領域１３−Ｌ１、１３−Ｌ２が備わる。データを記録する時、記録しようとする記録層に最適の記録パワーを制御するための作業を行う前に、少なくとも最適の記録パワーを探すためのテストビームが通過する記録層の部分にデータをあらかじめ記録する。
【００５５】
そして、記録しようとする記録層のＯＰＣ領域の記録領域がその下にある記録層のＯＰＣ領域の記録領域より小さく構成される。例えば、図７Ａに図示されたように、第２記録層Ｌ２のＯＰＣ領域１３−Ｌ２の記録領域１４−Ｌ２が、第１記録層Ｌ１のＯＰＣ領域１３−Ｌ１の記録領域１４−Ｌ１より小さい。前記第２記録層Ｌ２のＯＰＣ領域１３−Ｌ２で非記録領域は、テストビームに含まれるトラック数Ｘ（式（３）参照）に対応する領域になる。
【００５６】
一方、本発明による情報記録媒体は、ＯＰＣ領域がリードイン領域とリードアウト領域とは別途に備わりうる。例えば、ＯＰＣ領域がリードイン領域より内周側とリードアウト領域より外周側にそれぞれ別途に備わりうる。
【００５７】
図７Ｂは、図７Ａと比較する時、第２記録層Ｌ２のＯＰＣ領域１３−Ｌ２の記録領域１４−Ｌ２の位置が異なる。
【００５８】
次いで、本発明の望ましい実施形態によるデータの記録／再生方法は、複数の記録層を持つ記録可能な情報記録媒体に、ピックアップを利用して前記ピックアップから近い記録層からデータを記録する。
【００５９】
前記ピックアップから最も近い記録層のユーザデータ領域からピックアップから遠い記録層のユーザデータ領域へ行くほど記録領域が次第に減少する。ユーザデータ領域の内周及び外周にはリードイン領域とリードアウト領域を備え、リードイン領域とリードアウト領域は、前記ピックアップから遠いほどその容量が増加するように構成する。
【００６０】
または、ユーザデータ領域の内周及び外周領域にデータを記録せずに残すことによって、記録ビームが入射される層から遠くなる層へ行くほどユーザデータ領域の記録領域を次第に小さくすることができる。
【００６１】
ユーザデータを記録する前にＯＰＣを行う時、前記複数の記録層のうちピックアップから近い記録層からテストのためのデータを記録する。初めてデータが記録される記録層を除いて、記録動作を始めようとする記録層のＯＰＣ領域の内周及び外周にある所定容量の領域にデータを記録しない。したがって、ピックアップから近い記録層から遠くなるほど記録層のＯＰＣ領域の記録領域が次第に小さくなる。
【００６２】
本発明による記録可能な情報記録媒体は、ＤＶＤ−ＲＯＭが第１記録層Ｌ１に隣接してピックアップが備わり、ピックアップから近い第１記録層からデータが記録されることを考慮する時、ＤＶＤ−ＲＯＭとの一貫性（ｃｏｎｓｉｓｔｅｎｃｙ）を維持するために、第１記録層Ｌ１からデータが記録され、その後に第２記録層にデータが記録されることが望ましい。
【００６３】
しかし、本発明によるデータ記録／再生方法は、ピックアップが第２記録層に隣接して備わる場合にも同一に適用できる。このような場合には、第２記録層にデータがまず記録され、第１記録層Ｌ１にデータを記録するためにＯＰＣを行なう場合、テストビームが過ぎる第２記録層Ｌ２の部分には少なくともデータを記録させる。
【００６４】
また、本発明による方法は、トラック方向がＯＴＰ（オポジットトラックパス）タイプである場合と、ＰＴＰ（パラレルトラックパス）タイプである場合にいずれも適用可能であり、前記例では２層の記録層を備えた媒体について説明したが、３層以上の記録層を持つ媒体についても適用可能であるということは言うまでもない。
【００６５】
次いで、本発明による情報記録媒体のデータ記録／再生装置，すなわち、ドライブは，図２を参照するに、ピックアップ５０、記録／再生信号処理部６０及び制御部７０を備えて構成される。さらに具体的にみれば、ピックアップ５０は，光を照射するレーザーダイオード５１、レーザーダイオード５１から照射される光を平行にするコリメートレンズ５２、入射光の進行経路を変換するビームスプリッタ５４、ビームスプリッタ５４を通過した光を情報記録媒体Ｄに集束させる対物レンズ５６を備える。
【００６６】
前記情報記録媒体Ｄで反射された光がビームスプリッタ５４により反射されて光検出器、例えば，４分割光検出器５７に受光される。光検出器５７に受光された光は、演算回路部５８を経て電気信号に変換されてＲＦ信号，すなわち、サム信号で検出されるチャンネル１  Ｃｈ１とプッシュプル方式で信号を検出する差動信号チャンネルＣｈ２に出力される。
【００６７】
制御部７０は，前記複数の記録層のうちピックアップ５０から近い記録層からデータを記録させ、ピックアップ５０から近い記録層から遠く位置する記録層へ行くほどデータ領域が減少する。そして、初めてデータが記録される記録層を除いて、前記データが記録される記録層のユーザデータ領域の内周及び外周で所定容量の領域にデータが記録されないようにピックアップ５０を制御する。または、ピックアップ５０から近い記録層から遠く位置する記録層へ行くほどリードイン領域とリードアウト領域の容量が増加するようにする。ここで、非記録領域の容量または隣接する記録層のデータ領域の容量差は、前述したように記録ビームが過ぎるトラック数Ｘに対応する領域の容量になりうる。
【００６８】
また、情報記録媒体Ｄにデータを記録する前に情報記録媒体Ｄの所定領域に設けられたテスト領域で最適の記録パワーを探すためのテストを行う。前記情報記録媒体Ｄは、例えば、第１記録層Ｌ１及び第２記録層Ｌ２を備える。制御部７０は、ＯＰＣを行う場合に初めてデータが記録される記録層を除いて、データが記録される記録層のＯＰＣ領域の内周及び外周で所定容量の領域にデータを記録しないようにピックアップを制御する。
【００６９】
制御部７０は、テストを通じて得た適正パワーの記録ビームを、ピックアップ５０を通じて照射させる。この記録ビームにより前記情報記録媒体Ｄにデータが記録される。
【００７０】
このように記録されたデータを再生するために、前記情報記録媒体Ｄから反射されたビームが対物レンズ５６とビームスプリッタ５４を通じて光検出器５７に入力される。光検出器５７に入力されたビームは、演算回路部５８により電気信号に変換されてＲＦ信号に出力される。
【００７１】
本発明のいくつかの具現例が図示されて説明されたが、当業者によって本発明の原理と思想から逸脱せずにこの具現例を変更でき、その範囲は特許請求の範囲に定義された範囲とその均等な範囲である。
【図面の簡単な説明】
【００７２】
本発明の前記した特徴及び他の特徴及び／または他の側面及び利点は、添付された図面と共に結合された実施形態の後続する説明からさらに明確になり、さらに容易に理解されうる。
【図１】本発明による情報記録媒体に／からデータを記録／再生する方法を説明するための２層構造の記録媒体を示す図である。
【図２】本発明による情報記録媒体に／からデータを記録／再生する装置を約的に示す図である。
【図３】本発明の第１実施形態による２層情報記録媒体の概略的なレイアウトを示す図である。
【図４】本発明の第１実施形態による４層情報記録媒体の概略的なレイアウトを示す図である。
【図５】本発明の第２実施形態による２層情報記録媒体の概略的なレイアウトを示す図である。
【図６】本発明の第２実施形態による４層情報記録媒体の概略的なレイアウトを示す図である。
【図７Ａ】本発明による情報記録媒体に最適記録パワーをテストする方法を説明するための図である。
【図７Ｂ】本発明による情報記録媒体に最適記録パワーをテストする方法を説明するための図である。
【図１】
2007535091.tif 000014
【図２】
2007535091.tif 000015
【図３】
2007535091.tif 000016
【図４】
2007535091.tif 000017
【図５】
2007535091.tif 000018
【図６】
2007535091.tif 000019
【図７Ａ】
2007535091.tif 000020
【図７Ｂ】
2007535091.tif 000021
【国際調査報告】
2007535091.tif 000022
2007535091.tif 000023